(57)【要約】【課題】連結軸部材の端部を駒体の側部から露出させないようにした構造のバンドであっても、隣接する駒体の端部間を中心として折り曲がり、しかも簡潔な構造で、簡易に組立が行えるバンドの連結機構を提供する。【解決手段】連結部材１における連結ピン部材５の係止ピン部５ａの中心Ｏ１と、連結部材１における腕部４のピン嵌挿孔６の中心Ｏ２とが、駒体１０の側壁外面１０ａにそれぞれ一致するように配設し、この状態で隣接する駒体１０を連結する。これにより、各駒体１０の端部間を中心として折曲可能になり、装着者の腕に沿うようにバンド全体が曲がり、バンドとしての装着感が向上する。【選択図】図４
2010075646.tif 000002
【特許請求の範囲】
【請求項１】
複数の駒体が、それぞれ他の駒体と側部が隣接した状態で連結するバンドの連結機構であって、
前記駒体の内部に空間部を形成し、該空間部に連結部材を装着し、該連結部材を介して隣接する駒体を連結してなるバンドの連結機構において、
前記連結部材の一方側に、駒体連結方向に直交する方向に伸縮可能構造の連結ピンを設け、他方側にピン嵌挿孔を設け、前記連結部材を前記駒体の空間部に装着したときに、前記連結ピンの中心と前記ピン嵌挿孔の中心が、前記駒体の各側壁面に一致して配置される構成にし、隣接する一方の駒体における圧縮状態にされた連結ピンを、他方の駒体のピン嵌挿孔内へ前記圧縮状態から伸長して嵌挿することを特徴とするバンドの連結機構。
【請求項２】
前記連結ピンを、スプリングと、該スプリングの両端に設けられて外方へ付勢されるピン体とにより構成したことを特徴とする請求項１記載のバンドの連結機構。
【発明の詳細な説明】
【技術分野】
【０００１】  本発明は、時計バンドや装飾品用のバンドに適用され、複数の駒体を連結して長尺のバンドとして構成するためのバンドの連結機構に関するものである。
【背景技術】
【０００２】  複数の駒体からなるバンド類では、隣接する駒体が、種々の形状，構造の連結軸部材を用いて連結される構成になっている。【０００３】  従来では前記連結軸部材は、駒体の側方からねじ込む構造であったり、スプリングが内蔵される軸状筒体を用いる構成のものが一般的であった。このため簡易な構造のものでは、連結軸部材の端部が駒体の側部から露出していた。【０００４】  ところが、外観が重視される高級かつ高価なバンド類においては、駒体の側部から連結軸部材の端部が露出することは、デザイン上，外観を劣化させる原因となる。【０００５】  このことを防ぐため、従来、連結軸部材の端部を駒体の側部から露出させないような各種の工夫がなされてきていた（例えば特許文献１，２参照）。
【特許文献１】特開平７−６７７０７号公報
【特許文献２】実用新案登録第３１３７１２１号公報
【特許文献３】特開２００３−４３１６５号公報
【発明の開示】
【発明が解決しようとする課題】
【０００６】  上記のように、従来のバンドの連結機構において、連結軸部材の端部を駒体の側部から露出させない構成のものでは、連結軸部材が駒体内に設置される構成となっているため、駒体の回転中心が駒体の内部に位置することになり、このような構成のバンドを曲げると、回転中心が駒体内部にあるため、平面状態で連結している駒体平面部位に対して駒体の端部が外方へ突出するようになり、全体として滑らかで、かつ連続した形状で曲がる形態にはならなかった。【０００７】  勿論、連結軸部材を駒体の外側から挿入できるものであれば、特許文献３のように、駒体間における回転中心が存在するように回転軸部を設置することが容易であるが、上述した連結軸部材の端部を駒体の側部から露出させない構成のものでは、回転中心となる部位が駒体内に存在することになり、駒体間で滑らかな形態で折り曲がるようなバンドは実現されていなかった。【０００８】  そこで本発明は、複数の駒体が連結され、かつ連結軸部材の端部を駒体の側部から露出させないようにした構造のバンドであっても、隣接する駒体の端部間を中心として折り曲がり、しかも簡潔な構造で、簡易に組立が行えるバンドの連結機構を提供することを目的とする。
【課題を解決するための手段】
【０００９】  本発明のバンドの連結機構は、複数の駒体が、それぞれ他の駒体と側部が隣接した状態で連結するバンドの連結機構であって、前記駒体の内部に空間部を形成し、該空間部に連結部材を装着し、該連結部材を介して隣接する駒体を連結してなるバンドの連結機構において、前記連結部材の一方側に、駒体連結方向に直交する方向に伸縮可能構造の連結ピンを設け、他方側にピン嵌挿孔を設け、前記連結部材を前記駒体の空間部に装着したときに、前記連結ピンの中心と前記ピン嵌挿孔の中心が、前記駒体の各側壁面に一致して配置される構成にし、隣接する一方の駒体における圧縮状態にされた連結ピンを、他方の駒体のピン嵌挿孔内へ前記圧縮状態から伸長して嵌挿するものである。【００１０】  このように構成したことにより、連結ピンの中心とピン嵌挿孔の中心とを駒体の側壁間に一致させて配置して、駒体同士を回動可能に連結することができるため、連結ピンの端部が駒体内部にあって外部に露出することはなく、しかも隣接する駒体の端部間を中心として折り曲がり可能になる。【００１１】  また、前記連結ピンとして、スプリングと、該スプリングの両端に設けられて外方へ付勢されるピン体とにより構成したものを使用することができる。
【発明の効果】
【００１２】  本発明では、連結部材の一方側に伸縮可能構造の連結ピンを設け、他方側にピン嵌挿孔を設け、連結ピンの中心とピン嵌挿孔の中心が駒体の側壁面に一致して配置する構成にして、隣接する一方の駒体における圧縮状態にされた連結ピンを、他方の駒体のピン嵌挿孔内へ前記圧縮状態から伸長して嵌挿することで駒連結を行うため、連結ピンの端部は駒体内部にあって外部に露出することはなく、しかも隣接する駒体の端部間を中心として折曲回転するため、高級感，外観に優れ、しかもバンドの装着感がよく、またバンドの連結機構として簡潔な構造で、簡易に組立が行えるなどの効果がある。
【発明を実施するための最良の形態】
【００１３】  以下に本発明の好適な実施形態を図面にて説明する。
図１（ａ）は本発明に係るバンドの連結機構の実施形態における連結部材の分解斜視図、図１（ｂ）は本実施形態の連結部材の組付状態を示す斜視図、図２（ａ）は本実施形態の連結部材の組付状態における平面図、図２（ｂ）は図２（ａ）の横断面図である。【００１４】  図１，図２において、連結部材１を構成する内部部材２には、駒体連結方向の一方側に突起部３が設けられ、他方側に突起部３の横幅と略同幅の空間４ａを取って対向する一対の腕部４が設けられている。【００１５】  前記内部部材２の突起部３には、係止ピン部５ａを有する一対の連結ピン部材５が駒体連結方向に直交する方向に摺動可能に設けられ、また、前記各腕部４にはピン嵌挿孔６が設けられている。【００１６】  図２に示すように、一対の連結ピン部材５は、突起部３に設けられた横孔７に、伸縮自在なスプリング８と共に収納され、係止ピン部５ａが突起部３の横側部に対して出没可能な構造になっている。すなわち、横孔７の両側外部に両係止ピン部５ａが突出するように、一対の連結ピン部材５はスプリング８により外方へ付勢されている。
なお、スプリング８を設けなくても、連結ピン部材５あるいは係止ピン部５ａ自体の弾性変形にて横方向に伸縮することが可能な構成にすることにより、係止ピン部５ａが突起部３の横側部に対して出没可能な構造にすることも考えられる。【００１７】  また、腕部４のピン嵌挿孔６は、連結ピン部材５の係止ピン部５ａの外径と略同一の内径であって、かつピン嵌挿孔６内で係止ピン部５ａが周方向に回動自在な寸法になっている。【００１８】  図３（ａ）は本実施形態における駒体単体構造を説明するための分解斜視図、図３（ｂ）は本実施形態の駒体単体の組付状態を示す斜視図、図４（ａ）は本実施形態の駒体単体の組付状態における平面図、図４（ｂ）は本実施形態の駒体単体の組付状態における側面図、図４（ｃ）は図４（ａ）におけるＡ−Ａ断面図、図４（ｄ）は図４（ｂ）におけるＢ−Ｂ断面図である。【００１９】  図３，図４において、１０は平面視長方形状をなす駒体であって、駒体１０の内部には中間部に連結部材係止部１２を有する空間部１１が形成され、この空間部１１は駒体１０の両側を駒体連結方向に貫通して設けられ、空間部１１内に前記組付状態の連結部材１が嵌挿される。【００２０】  連結部材１を駒体１０の空間部１１に装着したときに、図４（ｃ），（ｄ）に示すように、連結部材１における連結ピン部材５の係止ピン部５ａの中心Ｏ１と、腕部４のピン嵌挿孔６の中心Ｏ２とが、駒体１０の対向する各側壁外面１０ａにおいて一致して配置される構成になっている。【００２１】  次に、本実施形態の駒体の連結，組立について、図５（ａ）〜（ｃ）を参照して説明する。
図５（ａ）に示すように、まず、連結部材１が内設された駒体１０における腕部４のピン嵌挿孔６を上記のように露出した状態で他の連結部材１を連結する。このとき、他の連結部材１の連結ピン部材５は内方へ押圧して、スプリング８を圧縮した状態で、係止ピン部５ａを押し込んだ押圧状態にして、図５（ｂ）に示すように、他の連結部材１における腕部４のピン嵌挿孔６に合致させ係止ピン部５ａの押圧を解放することにより、スプリング８の付勢を受けた係止ピン部５ａがピン嵌挿孔６内へ入る。【００２２】  その後、連結する駒体１０の空間部１１に前記他の連結部材１を挿入する。このようにして隣接する駒体１０を順次連結することにより、図５（ｃ）に示すように、長尺のバンド２０が製造される。【００２３】  図６（ａ）〜（ｃ）は本実施形態における隣接する駒体の連結構造を示す図であり、（ａ）は連結状態の駒体を示す平面図、（ｂ）は（ａ）におけるＣ−Ｃ断面図、（ｃ）は複数連結状態の駒体を示す側面図である。【００２４】  図６に示すように、各駒体１０間において、上記のように連結部材１における連結ピン部材５の係止ピン部５ａの中心Ｏ１と、連結部材１における腕部４のピン嵌挿孔６の中心Ｏ２が駒体１０の側壁外面１０ａにそれぞれ一致して連結されるため、各駒体１０間の端部間Ｍが回動中心となって折曲可能になる。これにより、従来のように各駒体の端部が外部に突出するように折り曲がるようにことはなく、装着者の腕などに沿うようにバンド２０全体が曲がり、バンドとしての装着感がよくなる。【００２５】  さらに、連結部材１の端部は駒体１０内部にあって外部に露出することはなく、高級感，外観に優れたバンド２０となり、また、バンドの連結機構として従来の構成と比較して、簡潔な構造で、簡易に組立が行えるなどの効果がある。【００２６】  駒体１の形状，材質などは、特に限定されず、また、各部の形状なども本実施形態のものに限定されない。
【産業上の利用可能性】
【００２７】  本発明は、駒体を連結する部材の端部が露出しない構造のバンドに適用され、駒材の材料としては一般的なスチール材のみならず、セラミック，高硬度の金属などの細かな加工がし難い材質からなる駒体を用いるバンドに実施して有効である。
【図面の簡単な説明】
【００２８】
【図１】（ａ）は本発明に係るバンドの連結機構の実施形態における連結部材の分解斜視図、（ｂ）は本実施形態の連結部材の組付状態を示す斜視図である。
【図２】（ａ）は本実施形態の連結部材の組付状態における平面図、（ｂ）は（ａ）の横断面図である。
【図３】（ａ）は本実施形態における駒体単体構造を説明するための分解斜視図、（ｂ）は本実施形態の駒体単体の組付状態を示す斜視図である。
【図４】（ａ）は本実施形態の駒体単体の組付状態における平面図、（ｂ）は本実施形態の駒体単体の組付状態における側面図、（ｃ）は（ａ）におけるＡ−Ａ断面図、（ｄ）は（ｂ）におけるＢ−Ｂ断面図である。
【図５】（ａ）〜（ｃ）は本実施形態の駒体の連結，組立について説明する図である。
【図６】（ａ）〜（ｃ）は本実施形態における隣接する駒体の連結構造を示す図であり、（ａ）は連結状態の駒体を示す平面図、（ｂ）は（ａ）におけるＣ−Ｃ断面図、（ｃ）は複数連結状態の駒体を示す側面図である。
【符号の説明】
【００２９】１  連結部材
２  内部部材
３  突起部
４  腕部
４ａ  空間
５  連結ピン部材
５ａ  係止ピン部
６  ピン嵌挿孔
７  横孔
８  スプリング
１０  駒体
１０ａ  駒体の側壁外面
１１  空間部
Ｏ１  係止ピン部の中心
Ｏ２  ピン嵌挿孔
【図１】
2010075646.tif 000003
【図２】
2010075646.tif 000004
【図３】
2010075646.tif 000005
【図４】
2010075646.tif 000006
【図５】
2010075646.tif 000007
【図６】
2010075646.tif 000008
【手続補正書】
【提出日】平成21年5月13日(2009.5.13)
【手続補正１】
【補正対象書類名】明細書
【補正対象項目名】００２６
【補正方法】変更
【補正の内容】
【００２６】  駒体１０の形状，材質などは、特に限定されず、また、各部の形状なども本実施形態のものに限定されない。
【手続補正２】
【補正対象書類名】明細書
【補正対象項目名】００２９
【補正方法】変更
【補正の内容】
【００２９】１  連結部材
２  内部部材
３  突起部
４  腕部
４ａ  空間
５  連結ピン部材
５ａ  係止ピン部
６  ピン嵌挿孔
７  横孔
８  スプリング
１０  駒体
１０ａ  駒体の側壁外面
１１  空間部
１２  連結部材係止部
Ｏ１  係止ピン部の中心
Ｏ２  ピン嵌挿孔の中心